(57)【要約】【課題】メインミラーに連動して突出位置と撮影光路から退避する格納位置に回動するサブミラーのバウンド抑制を、簡単な構造で確実に行うことが可能なカメラの可動ミラー駆動装置を提供する。【解決手段】撮影光路上に位置するファインダ導光位置と撮影光路から退避する退避位置との間で回動されるメインミラーの保持枠に連動して回動する制振部材を備え、この制振部材によって、少なくともメインミラーがファインダ導光位置に回動したときにサブミラー保持枠を突出位置に抑えて格納位置側への回動を防ぐ。【選択図】図５
2015014725.tif 000002
【特許請求の範囲】
【請求項１】
メインミラー保持枠に保持され、撮影光路上に位置して被写体光を観察光学系に反射させるファインダ導光位置と、撮影光路から退避して被写体光を撮像用受光媒体側に通過させる退避位置との間で回動されるメインミラー；
上記メインミラー保持枠に相対回動可能に支持されるサブミラー保持枠に保持され、上記メインミラーが上記ファインダ導光位置にあるとき被写体光の一部を上記観察光学系と異なる方向へ反射させる突出位置に位置し、上記メインミラーが上記退避位置にあるとき該メインミラーと共に撮影光路から退避する格納位置に位置するサブミラー；及び
上記メインミラー保持枠に連動して回動し、少なくとも上記メインミラーが上記ファインダ導光位置に回動したときに、上記サブミラー保持枠を上記突出位置に抑えて上記格納位置側への回動を防ぐ制振部材；
を備えたことを特徴とするカメラの可動ミラー駆動装置。
【請求項２】
請求項１記載のカメラの可動ミラー駆動装置において、上記制振部材の回動軸と平行な回動軸を中心として回動可能に支持され、回動することによって上記サブミラー保持枠を上記メインミラー保持枠に連動して上記突出位置と上記格納位置に回動させる連動制御回動部材を備え、
上記連動制御回動部材と上記制振部材は互いに同一の回動平面内に位置する当接可能部を有し、上記メインミラー保持枠が上記退避位置から上記ファインダ導光位置に回動するとき、上記制振部材が該制振部材側の上記当接可能部を上記連動制御回動部材側の上記当接可能部に接近させる方向に回動し、該２つの当接可能部の相互当接によって、上記格納位置側へ上記サブミラー保持枠を回動させる方向への上記連動制御回動部材の回動を制限するカメラの可動ミラー駆動装置。
【請求項３】
請求項２記載のカメラの可動ミラー駆動装置において、上記連動制御回動部材と上記制振部材はさらに、互いに同一の回動平面内に位置する第２の当接可能部を有し、上記メインミラー保持枠が上記ファインダ導光位置から上記退避位置に回動するとき、上記制振部材が該制振部材の上記第２の当接可能部を上記連動制御回動部材側の上記第２の当接可能部に接近させる方向に回動し、該２つの第２の当接可能部の相互当接によって、上記突出位置側へ上記サブミラー保持枠を回動させる方向への上記連動制御回動部材の回動を制限するカメラの可動ミラー駆動装置。
【請求項４】
請求項２または３記載のカメラの可動ミラー駆動装置において、上記連動制御回動部材は、上記メインミラーが上記退避位置と上記ファインダ導光位置の間で回動する途中で、上記制振部材に対して上記当接可能部の接近方向に回動してから該当接可能部の離間方向へ反転回動し、
上記当接可能部は、上記連動制御回動部材が上記反転回動する前に当接したとき、上記制振部材から上記連動制御回動部材に対して該反転回動方向への押圧分力を付与するカム面を有しているカメラの可動ミラー駆動装置。
【請求項５】
請求項２ないし４のいずれか記載のカメラの可動ミラー駆動装置において、上記連動制御回動部材は、上記サブミラー保持枠に設けた突出部を移動可能に挿入させる長孔を有し、該長孔内で上記突出部を位置変化させることによって上記サブミラー保持枠を上記突出位置と上記格納位置に回動させるカメラの可動ミラー駆動装置。
【請求項６】
請求項１記載のカメラの可動ミラー駆動装置において、上記サブミラー保持枠と上記制振部材は互いに同一の回動平面内に位置する当接可能部を有し、上記メインミラー保持枠が上記退避位置から上記ファインダ導光位置に回動するとき、上記制振部材が該制振部材側の上記当接可能部を上記サブミラー保持枠側の上記当接可能部に接近させる方向に回動し、該２つの当接可能部の相互当接によって、上記格納位置側への上記サブミラー保持枠の回動を制限するカメラの可動ミラー駆動装置。
【請求項７】
請求項１ないし６のいずれか記載のカメラの可動ミラー駆動装置において、上記メインミラー保持枠と上記制振部材は互いに噛合するギヤを有し、該ギヤによって上記メインミラー保持枠の回動力が上記制振部材に伝達されるカメラの可動ミラー駆動装置。
【請求項８】
請求項５の記載のカメラの可動ミラー駆動装置において、上記ギヤは上記メインミラー保持枠の回動量に比して上記制振部材の回動量を大きくさせるギヤ比を有しているカメラの可動ミラー駆動装置。
【請求項９】
メインミラー保持枠に保持され、撮影光路上に位置して被写体光を観察光学系に反射させるファインダ導光位置と、撮影光路から退避して被写体光を撮像用受光媒体側に通過させる退避位置との間で回動されるメインミラー；
上記メインミラー保持枠に相対回動可能に支持されるサブミラー保持枠に保持され、上記メインミラーが上記ファインダ導光位置にあるとき被写体光の一部を上記観察光学系と異なる方向へ反射させる突出位置に位置し、上記メインミラーが上記退避位置にあるとき該メインミラーと共に撮影光路から退避する格納位置に位置するサブミラー；及び
上記メインミラー保持枠に連動して動作し、上記サブミラーの上記突出位置と上記格納位置の少なくとも一方で上記サブミラー保持枠のバウンドを抑制し、かつ、上記メインミラーが上記ファインダ導光位置と上記退避位置の途中に位置する状態で上記サブミラー保持枠側からの反力を受けたときに、該サブミラー保持枠に対して上記メインミラー保持枠の回動方向に対応する方向への押圧力を付与する制振部材；
を備えたことを特徴とするカメラの可動ミラー駆動装置。
【発明の詳細な説明】
【技術分野】
【０００１】
本発明は、一眼レフカメラに設けられる可動ミラーの駆動装置に関し、特に可動ミラーのバウンドを抑制する機構に関する。
【背景技術】
【０００２】
一眼レフカメラの内部には、撮影光路上に挿入されて被写体光をファインダ光学系へ反射させるファインダ導光位置（ダウン位置）と、撮影光路から退避して被写体光をシャッタ側へ通過させる退避位置（アップ位置）に昇降回動可能な可動ミラー（クイックリターンミラー）が設けられている。位相差式のＡＦセンサを用いて合焦状態を判別するタイプの一眼レフカメラでは、可動ミラーとしてファインダへの導光用のメインミラーと連動するサブミラーが備えられ、サブミラーを用いて、ＡＦセンサへ向けて被写体光の一部を反射させる。サブミラーはメインミラーに対して相対回動可能に支持されており、メインミラーがファインダ導光位置にあるときにはサブミラーが光路上に突出してＡＦセンサへの導光を可能にし、メインミラーが退避位置にあるときにはサブミラーも光路から退避するように動作する。
【０００３】
可動ミラーが回動時にその衝撃でバウンド（振動）すると、ミラーショックによる像振れが生じたり、連写速度向上の妨げになったりするため、バウンドを抑えるための機構が提案されている。従来は主にメインミラーのバウンド抑制が考慮されてきたが、撮影時の防振性能や連写性能に係る要求が高度になると、メインミラーのみならずサブミラーにおいてもバウンドを抑えることが必要になる。例えば、メインミラーがファインダ導光位置へ回動したときにサブミラーにバウンドが生じると、サブミラーが静止するまで測距を行うことができないため、連写速度向上のためにはミラーダウン状態でサブミラーのバウンドを抑制することが求められる。また、メインミラーが退避位置に回動したときにサブミラーがバウンドしてミラーショックを生じさせると、カメラブレの原因となるため、ミラーアップ状態でもサブミラーのバウンドを抑制することが求められる。その対策として、メインミラーの回動を制御するカム機構のカム形状の設定によってメインミラーの動作速度を調整することで、サブミラーの制振を行わせていた。あるいは特許文献１のように、メインミラーがファインダ導光位置に回動したときに、サブミラーの保持部材に形成した溝と、ミラーボックス内に設けた突起状の規制部材とを係合させて強制的にサブミラーの動作を抑える構造が提案されている。
【先行技術文献】
【特許文献】
【０００４】
【特許文献１】特開平９-２７４２５０号公報
【発明の概要】
【発明が解決しようとする課題】
【０００５】
より高度な防振性能や連写性能を追求した場合、カム形状によるメインミラー側の動作速度設定だけでサブミラーの制振まで効果的に行わせることには限界があった。また、特許文献１の構造では、動作タイミングがわずかでもずれてしまうと、サブミラー保持部材の溝に規制部材をスムーズに進入させることができなくなってしまい、非常に厳密な精度管理が要求される。
【０００６】
本発明は、以上の問題点に鑑みてなされたものであり、簡単な構造で確実にサブミラーのバウント抑制を行うことが可能なカメラの可動ミラー駆動装置を提供することを目的とする。
【課題を解決するための手段】
【０００７】
本発明は、メインミラー保持枠に保持され、撮影光路上に位置して被写体光を観察光学系に反射させるファインダ導光位置と、撮影光路から退避して被写体光を撮像用受光媒体側に通過させる退避位置との間で回動されるメインミラーと、メインミラー保持枠に相対回動可能に支持されるサブミラー保持枠に保持され、メインミラーがファインダ導光位置にあるとき被写体光の一部を観察光学系と異なる方向へ反射させる突出位置に位置し、メインミラーが退避位置にあるとき該メインミラーと共に撮影光路から退避する格納位置に位置するサブミラーを備えたカメラにおける可動ミラー駆動装置であって、メインミラー保持枠に連動して回動し、少なくともメインミラーがファインダ導光位置に回動したときに、サブミラー保持枠を突出位置に抑えて格納位置側への回動を防ぐ制振部材を備えたことを特徴としている。
【０００８】
メインミラーとサブミラーは、制振部材の回動軸と平行な回動軸を中心として回動可能に支持された連動制御回動部材によって連動させることができる。この態様では、互いに同一の回動平面内に位置する当接可能部を連動制御回動部材と制振部材に設け、メインミラー保持枠が退避位置からファインダ導光位置に回動するとき、制振部材が該制振部材側の当接可能部を連動制御回動部材側の当接可能部に接近させる方向に回動して、該２つの当接可能部の相互当接によって、格納位置側へサブミラー保持枠を回動させる方向への連動制御回動部材の回動を制限するように構成するとよい。
【０００９】
さらに、連動制御回動部材と制振部材に互いに同一の回動平面内に位置する第２の当接可能部を設け、メインミラー保持枠がファインダ導光位置から退避位置に回動するとき、制振部材が該制振部材の第２の当接可能部を連動制御回動部材側の第２の当接可能部に接近させる方向に回動して、該２つの第２の当接可能部の相互当接によって、突出位置側へサブミラー保持枠を回動させる方向への連動制御回動部材の回動を制限するように構成してもよい。
【００１０】
メインミラーが退避位置とファインダ導光位置の間で回動する途中で、制振部材に対して連動制御回動部材が、当接可能部の接近方向に回動してから該当接可能部の離間方向へ反転回動する構成とした場合、当接可能部に、連動制御回動部材が反転回動する前に当接したときに制振部材から連動制御回動部材に対して該反転回動方向への押圧分力を付与する面形状を持たせることが好ましい。これにより、制振部材によるミラーアップ動作やミラーダウン動作の干渉を防ぐことができる。
【００１１】
連動回動部材はサブミラー保持枠に設けた突出部を移動可能に挿入させる長孔を有しており、該長孔内での突出部の位置変化と連動回動部材の回動によってサブミラー保持枠がメインミラー保持枠に連動して突出位置と格納位置に回動されるように構成するとよい。
【００１２】
連動回動部材を介さない態様として、サブミラー保持枠と制振部材に互いに同一の回動平面内に位置する当接可能部を設け、メインミラー保持枠が退避位置からファインダ導光位置に回動するとき、制振部材が該制振部材側の当接可能部をサブミラー保持枠側の当接可能部に接近させる方向に回動し、該２つの当接可能部の相互当接によって、格納位置側への上記サブミラー保持枠の回動を制限する構成にすることもできる。
【００１３】
メインミラー保持枠と制振部材は互いに噛合するギヤを有し、該ギヤによってメインミラー保持枠の回動力が制振部材に伝達されるようにすると、シンプルな構成で制振部材をメインミラー保持枠に連動させることができる。この場合、メインミラー保持枠と制振部材の間の噛合ギヤは、メインミラー保持枠の回動量に比して制振部材の回動量を大きくさせるギヤ比に設定されていることが好ましい。
【００１４】
本発明はまた、メインミラー保持枠に保持され、撮影光路上に位置して被写体光を観察光学系に反射させるファインダ導光位置と、撮影光路から退避して被写体光を撮像用受光媒体側に通過させる退避位置との間で回動されるメインミラーと、メインミラー保持枠に相対回動可能に支持されるサブミラー保持枠に保持され、メインミラーがファインダ導光位置にあるとき被写体光の一部を観察光学系と異なる方向へ反射させる突出位置に位置し、メインミラーが退避位置にあるとき該メインミラーと共に撮影光路から退避する格納位置に位置するサブミラーと、メインミラー保持枠に連動して動作し、サブミラーの突出位置と格納位置の少なくとも一方でサブミラー保持枠のバウンドを抑制し、かつ、メインミラーがファインダ導光位置と退避位置の途中に位置する状態でサブミラー保持枠側からの反力を受けたときに、該サブミラー保持枠に対してメインミラー保持枠の回動方向に対応する方向への押圧力を付与する制振部材を備えたことを特徴としている。
【発明の効果】
【００１５】
本発明の可動ミラー駆動装置によれば、メインミラーに連動して回動する制振部材を設けるという簡単な構造で、サブミラーのバウンド抑制を行うことができる。制振部材は、メインミラーの回動に伴って回動することでサブミラーに対するバウンド抑制位置に移動するので、サブミラーの保持枠自体を固定部材に係合させるタイプの制振機構に比べて、動作タイミングのずれなどに対する許容量が大きく、簡単な構造でありながら確実にサブミラーのバウンド抑制を行うことができる。また、メインミラーがファインダ導光位置と退避位置の途中に位置する状態で制振部材がサブミラー保持枠に当接して反力を受けたときに、該制振部材がサブミラー保持枠に対して押圧力を付与することで、メインミラーとサブミラーの確実な連動を行わせることができる。
【図面の簡単な説明】
【００１６】
【図１】本発明を適用した一眼レフカメラの光学系の概略を示す図である。
【図２】同カメラのミラーボックスの斜視図である。
【図３】ミラーダウン状態でのミラー駆動装置の斜視図である。
【図４】ミラーダウン状態でのミラー駆動装置を異なる角度から見た斜視図である。
【図５】ミラーダウン状態でのミラー駆動装置の側面図である。
【図６】ミラーダウン状態からミラーアップ状態への移行途中のミラー駆動装置の側面図である。
【図７】ミラーダウン状態からミラーアップ状態への移行途中で、連動制御レバーが反転回動する瞬間のミラー駆動装置の側面図である。
【図８】何らかの原因で図７に示すタイミングよりも連動制御レバーの反転回動のタイミングが遅れた場合のミラー駆動装置の側面図である。
【図９】ミラーダウン状態からミラーアップ状態への移行途中で、連動制御レバーが反転回動した後のミラー駆動装置の側面図である。
【図１０】ミラーアップ状態でのミラー駆動装置の側面図である。
【図１１】ミラーアップ状態からミラーダウン状態への移行途中のミラー駆動装置の側面図である。
【図１２】ミラーアップ状態からミラーダウン状態への移行途中で、連動制御レバーが反転回動する瞬間のミラー駆動装置の側面図である。
【図１３】何らかの原因で図１２に示すタイミングよりも連動制御レバーの反転回動のタイミングが遅れた場合のミラー駆動装置の側面図である。
【図１４】ミラーアップ状態からミラーダウン状態への移行途中で、連動制御レバーが反転回動した後のミラー駆動装置の側面図である。
【図１５】ミラーアップ状態からミラーダウン状態への移行途中で、連動制御レバーが回動端に達し、サブミラーシートが位置決めピンに当接した状態のミラー駆動装置の側面図である。
【図１６】連動制御レバー単体の動きを示す図である。
【図１７】第２の実施形態のミラー駆動装置を備えたミラーボックスの斜視図である。
【図１８】同ミラー駆動装置のミラーダウン状態での斜視図である。
【図１９】同ミラー駆動装置のミラーダウン状態での異なる角度の斜視図である。
【図２０】同ミラー駆動装置のミラーアップ状態の斜視図である。
【図２１】同ミラー駆動装置のミラーダウン状態の側面図である。
【図２２】同ミラー駆動装置のミラーダウン状態からミラーアップ状態への移行途中の側面図である。
【図２３】同ミラー駆動装置のミラーアップ状態の側面図である。
【図２４】同ミラー駆動装置のミラーダウン状態からミラーアップ状態への移行途中の側面図である。
【発明を実施するための形態】
【００１７】
図１に示す一眼レフカメラ（以下、カメラ）１０は、カメラボディ１１の前面に交換式のレンズ鏡筒１２を着脱させるレンズマウント１３を有し、その内方にミラーボックス１４が設けられている。
【００１８】
ミラーボックス１４内には、可動ミラー（クイックリターンミラー）を構成するメインミラー１５とサブミラー１７が設けられる。メインミラー１５はメインミラーシート（メインミラー保持枠）１６上に支持され、メインミラーシート１６は、メインミラー支持軸１６ｘを介してミラーボックス１４の両側壁間に軸支されている。メインミラーシート１６にはさらに、メインミラー支持軸１６ｘと略平行なサブミラー支持軸１８ｘを介してサブミラーシート（サブミラー保持枠）１８が軸支されている。サブミラーシート１８にはサブミラー１７が支持されている。以下の説明では、特に断りがない限り、メインミラーシート１６とサブミラーシート１８はそれぞれメインミラー１５とサブミラー１７を保持した状態の部材であるものとする。
【００１９】
ミラーボックス１４の後方にはフォーカルプレーンシャッタ（以下、シャッタ）１９が設けられ、シャッタ１９の後方には撮像用受光媒体としてイメージセンサ２０が設けられている。なお、本実施形態のカメラ１０は、撮像用受光媒体にイメージセンサ２０を用いるデジタルカメラであるが、撮像用受光媒体として銀塩フィルムを用いるカメラに対しても本発明は適用が可能である。
【００２０】
メインミラー１５（メインミラーシート１６）は、メインミラー支持軸１６ｘを中心として、レンズ鏡筒１２内の撮影レンズ１２ａからイメージセンサ２０に至る撮影光路上に約４５度の角度で斜設されるダウン位置（ファインダ導光位置：図１の実線、図３ないし図５）と、撮影光路から上方に退避したアップ位置（退避位置：図１の二点鎖線、図１０）の間で往復回動（揺動）される。ミラーボックス１４の両側壁のうち一方の内面から位置決めピン２１が突出しており、この位置決めピン２１に対してメインミラーシート１６の一側部に設けたストッパ部１６ａを当接させることで、メインミラー１５のダウン位置が定められる。ストッパ部１６ａは、メインミラーシート１６を構成する後述の前方橋絡部１６ｆを側方に突出させて形成されている。位置決めピン２１は回転調整可能な偏心ピンとして構成されており、ミラーボックス１４の側面上に露出する回転操作部２１ａ（図３）を回転操作して位置決めピン２１の回転角位置を変化させることによりストッパ部１６ａとの当接関係が変化し、メインミラー１５のダウン位置の角度調整を行うことができる。また、ミラーボックス１４内には、メインミラー１５をアップ位置に回動させたときメインミラーシート１６のストッパ部１６ａが当接可能なクッション２２が設けられている。さらにミラーボックス１４の上方には、ペンタプリズムや接眼レンズなどにより構成されるファインダ光学系２３が設けられている。
【００２１】
レンズマウント１３にレンズ鏡筒１２を装着した状態でレンズ鏡筒１２内の撮影レンズ１２ａを通してミラーボックス１４内に入射する被写体光は、メインミラー１５がダウン位置にあるときには、メインミラー１５により反射されてファインダ光学系２３に入り、カメラボディ１１後面側のファインダ窓２３ａを通して被写体像を観察することができる。この状態では、ファインダ光学系２３を構成するペンタプリズムの後方に設けた測光ユニット２４による測光が可能である。また、メインミラー１５のダウン位置では、サブミラー１７（サブミラーシート１８）はメインミラー１５に対して斜め下方に向けて突出し、ハーフミラーとして構成されたメインミラー１５を透過した被写体光の一部がサブミラー１７によって反射されてミラーボックス１４の下方の測距ユニット２５に導かれ、被写体距離を検出（合焦状態を検出）することができる。測距ユニット２５は周知の位相差ＡＦセンサである。この測距ユニット２５への導光状態の位置をサブミラー１７（サブミラーシート１８）の突出位置（図３ないし図５）と呼ぶ。サブミラー１７の突出位置は、サブミラーシート１８の一側部に設けたストッパ部１８ａを、ミラーボックス１４の内面に設けた位置決めピン２６に当接させることで定められる。位置決めピン２６は回転調整可能な偏心ピンとして構成されており、ミラーボックス１４の側面上に露出する回転操作部２６ａ（図２及び図３）を回転操作して位置決めピン２６の回転角位置を変化させることによりストッパ部１８ａとの当接関係が変化し、サブミラー１７の突出位置の角度調整を行うことができる。
【００２２】
一方、メインミラー１５がアップ位置にあるときには、撮影レンズ１２ａを通してミラーボックス１４内に入射する被写体光はメインミラー１５で反射されずにシャッタ１９側に進み、シャッタ１９を開くことでイメージセンサ２０の受光面上に光を入射させることができる。メインミラー１５のアップ位置では、サブミラー１７はメインミラーシート１６の背面側に格納され、光路上には突出しない。このサブミラー１７（サブミラーシート１８）の位置を格納位置と呼ぶ（図１０）。
【００２３】
カメラボディ１１の後面に設けたＬＣＤモニタ２７には、イメージセンサ２０により得られる被写体の電子画像や、電子画像以外の各種の情報を表示することができる。
【００２４】
メインミラー１５とサブミラー１７の詳細な支持構造を説明する。図３や図４に示すように、メインミラーシート１６は、メインミラー１５を支持するミラー支持面１６ｃの両側に一対の側壁１６ｄ、１６ｅを有し、側壁１６ｄと側壁１６ｅの前端部を前方橋絡部１６ｆで接続し、側壁１６ｄと側壁１６ｅの後端部を後方橋絡部１６ｇで接続した枠形状をなしている。前方橋絡部１６ｆの両端は側壁１６ｄと側壁１６ｅよりも側方に突出しており、側壁１６ｄから突出する側の前方橋絡部１６ｆの端部としてストッパ部１６ａが構成されている。側壁１６ｄのうち後方橋絡部１６ｇに近い後端部付近から、ミラーシートボス１６ｂが側方へ突出している。ミラー支持面１６ｃにはサブミラー１７側へ被写体光の一部を透過させるための透光開口部１６ｈが形成されている。後方橋絡部１６ｇの両側部には軸孔１６ｉが形成されており、この軸孔１６ｉに対してミラーボックス１４の内面に突設したメインミラー支持軸１６ｘが挿入される。また、側壁１６ｄと側壁１６ｅから側方へ、メインミラー支持軸１６ｘと平行な軸線のサブミラー支持軸１８ｘが突設されている。図３と図４では側壁１６ｅ側のサブミラー支持軸１８ｘのみを図示しているが、側壁１６ｄ側にも同軸上にサブミラー支持軸１８ｘが突設されている。
【００２５】
サブミラーシート１８は、サブミラー１７を支持するミラー支持面１８ｂの両側に一対の側壁１８ｃ、１８ｄを有する。側壁１８ｃと側壁１８ｄはメインミラーシート１６の側壁１６ｄと側壁１６ｅを挟むように位置しており、サブミラー支持軸１８ｘを挿入させる軸孔１８ｅが形成されている。図３と図４では、側壁１８ｄ側の軸孔１８ｅのみを図示しているが、側壁１８ｃ側にも同様に軸孔１８ｅが形成されてサブミラー支持軸１８ｘが挿入されている。サブミラーシート１８にはさらに、軸孔１８ｅの形成箇所を挟んで側壁１８ｄと異なる方向へ延設された延長アーム１８ｆを有し、この延長アーム１８ｆから側方へ連動ピン（突出部）１８ｇが突設されている。
【００２６】
サブミラーシート１８は、連動制御レバー（連動制御回動部材）３０を介してメインミラーシート１６と連動される。図２、図５ないし図１５に示すように、連動制御レバー３０は、メインミラー支持軸１６ｘやサブミラー支持軸１８ｘと平行な軸線の連動レバー支持軸３０ｘを中心として回動可能にミラーボックス１４の側部に支持されている。連動制御レバー３０には、連動レバー支持軸３０ｘを中心とする半径方向に向けて長い弧状の連動孔（長孔）３０ａが形成されており、この連動孔３０ａに対してサブミラーシート１８の連動ピン１８ｇが移動可能に挿入されている。連動孔３０ａは、連動制御レバー３０の回動方向に対向して位置する連動ピン摺接面３０ａ-１と対向面３０ａ-２と、連動レバー支持軸３０ｘに近い側の端部を構成する内径側端面３０ａ-３と、連動レバー支持軸３０ｘから遠い側の端部を構成する外径側端面３０ａ-４を有する。連動制御レバー３０のバネ掛け部３０ｂとミラーボックス１４のバネ掛け部１４ａには、連動制御レバーバネ３１の一端部と他端部が係合している。連動制御レバーバネ３１は引っ張りバネであり、連動制御レバー３０を図５ないし図１５の時計方向へ回動付勢している。この連動制御レバーバネ３１の付勢力は、連動孔３０ａの連動ピン摺接面３０ａ-１によって連動ピン１８ｇを押圧する方向に作用する。また、連動制御レバー３０上にアーム当接部（当接可能部）３０ｃが突出形成されている。アーム当接部３０ｃは連動制御レバー３０の回動半径方向に細長い形状をなし、その外形側と内径側の端部がそれぞれ半円状の円弧面として形成されている。連動制御レバー３０は、連動孔３０ａと連動ピン１８ｇを介してメインミラーシート１６に対するサブミラーシート１８の角度を制御する機能を有しており、その動作の詳細は後述する。
【００２７】
ミラーボックス１４の一側部（カメラ前方から見て左側の側部）には、メインミラー１５の昇降回動を行わせるミラー駆動機構が設けられている。ミラー駆動機構は図示されておらず詳細な説明を省略するが、周知の機構（例えば特開２０１０-２６６６１７号に記載された機構）を用いることができる。具体的な構造の一例を述べると、メインミラー支持軸１６ｘと平行な支持軸を介してミラーボックス１４に軸支されたミラー駆動レバーを備え、モータの駆動力によってミラー駆動レバーが回動（揺動）される。ミラー駆動レバーは、メインミラーシート１６の側部に設けたミラーシートボス１６ｂに力を伝えることが可能であり、ミラー駆動レバーがミラーシートボス１６ｂを下方に押圧することでメインミラー１５をダウン位置に向けて回動させ、ミラーシートボス１６ｂを上方に押圧することでメインミラー１５をアップ位置に向けて回動させる。
【００２８】
ミラーボックス１４の他側部（カメラ前方から見て右側の側部）には、サブミラー１７のバウンド（振動）を抑制して防振性能や連射速度の向上を実現させるバウンド抑制機構が備えられている。続いて、このバウンド抑制機構の構造を説明する。図３ないし図１５に示すように、メインミラーシート１６には、軸孔１６ｉを中心とする周方向に所定の範囲で扇状の伝達ギヤ１６ｊが形成されている。図２ないし図１５に示すように、ミラーボックス１４の側部には、この伝達ギヤ１６ｊに噛み合う従動ギヤ３２ａを有する制振レバー（制振部材）３２が、制振レバー支持軸３２ｘを中心として回動可能に支持されている。制振レバー３２の回動中心となる制振レバー支持軸３２ｘの軸線は、メインミラー支持軸１６ｘ、サブミラー支持軸１８ｘ、連動レバー支持軸３０ｘの軸線と平行である。メインミラーシート１６が回動すると、伝達ギヤ１６ｊから従動ギヤ３２ａに力が伝わって、制振レバー３２がメインミラーシート１６や連動制御レバー３０の回動平面と平行な平面に沿って回動する。メインミラーシート１６がダウン位置にあるときの制振レバー３２の位置を第１位置、メインミラーシート１６がアップ位置にあるときの制振レバー３２の位置を第２位置と呼ぶ。伝達ギヤ１６ｊと従動ギヤ３２ａは、メインミラーシート１６の回動量（回転角度）に対して制振レバー３２の回動量（回転角度）を約１．５倍にさせるギヤ比に設定されている。
【００２９】
制振レバー３２には外径方向に制振用アーム（当接可能部）３２ｂが延設されている。制振用アーム３２ｂは連動制御レバー３０のアーム当接部３０ｃと同一の回動平面内に位置しており、制振レバー３２の第２位置から第１位置への回動は、制振用アーム３２ｂの外周に形成した当接カム面３２ｃをアーム当接部３０ｃに対して接近させる方向の回動である。当接カム面３２ｃは凸状の湾曲面として形成されている。
【００３０】
以上の構造から成るミラー駆動装置の動作を説明する。以下の各部材の回動方向は、図５ないし図１５に示す左側面から見た状態を示している。図５は、メインミラー１５がダウン位置にある状態を示している。この状態では、メインミラーシート１６に設けたストッパ部１６ａが位置決めピン２１に当接してダウン位置よりも下方への回動が規制される。連動制御レバー３０は連動制御レバーバネ３１によって同図の時計方向に回動付勢され、この付勢力によって連動孔３０ａの連動ピン摺接面３０ａ-１が連動ピン１８ｇを押圧し、サブミラーシート１８がストッパ部１８ａを位置決めピン２６に当接させる突出位置に保持されている。メインミラーシート１６に連動して回動される制振レバー３２は、制振用アーム３２ｂの当接カム面３２ｃをアーム当接部３０ｃに接近させる第１位置に保持されている。このとき当接カム面３２ｃとアーム当接部３０ｃの間には、わずかなクリアランスがある。このクリアランスによって、位置決めピン２１の回転位置を変化させてメインミラーシート１６の角度調整を行ったり、位置決めピン２６の回転位置を変化させてサブミラーシート１８の角度調整を行ったりする際に、連動制御レバー３０と制振レバー３２が干渉しないようになっている。
【００３１】
図６から図９は、メインミラー１５を支持するメインミラーシート１６が図５のダウン位置から図１０のアップ位置へ向けて回動するときの動作を示している。メインミラーシート１６が図５のダウン位置からアップ位置へ向けて回動すると、これに伴ってサブミラーシート１８を軸支するサブミラー支持軸１８ｘの位置が、メインミラー支持軸１６ｘを中心とする円弧状の軌跡に沿って上方へ変位する。この移動に応じて、延長アーム１８ｆの先端に設けた連動ピン１８ｇが、連動ピン摺接面３０ａ-１に摺接しながら連動孔３０ａ内を内径側端面３０ａ-３に接近する方向に変位していく。このときストッパ部１８ａは、位置決めピン２６に接触しながらサブミラー支持軸１８ｘの方向（図５のミラーダウン状態におけるサブミラー支持軸１８ｘの位置へ接近する方向）へ移動する。連動制御レバー３０は、連動ピン１８ｇが内径側端面３０ａ-３に接触するまで若干量時計方向に回動し、続いて連動ピン１８ｇによって連動ピン摺接面３０ａ-１を押圧されることで、連動制御レバーバネ３１の付勢力に抗して反時計方向に回動する。図６に示すように、この連動制御レバー３０の反時計方向回動時には、連動ピン１８ｇに対して連動制御レバーバネ３１の反力によって連動ピン１８ｇに対して矢印Ｆ１で示す力が作用する。この矢印Ｆ１方向の力はサブミラーシート１８を突出位置方向（反時計方向）へ押圧させるものであるが、当該方向へのサブミラーシート１８の回動は連動ピン１８ｇが内径側端面３０ａ-３に当接することで規制される。
【００３２】
メインミラーシート１６がアップ位置方向への回動を続けて図７の角度に達したとき、連動制御レバーバネ３１の付勢力によって連動ピン摺接面３０ａ-１から連動ピン１８ｇに加わる力の作用方向が矢印Ｆ２になる。この力の作用方向上にサブミラー支持軸１８ｘの中心（軸線）が位置しているため、サブミラーシート１８は突出位置方向へ押圧されなくなる。
【００３３】
図７よりもメインミラーシート１６がアップ位置方向へ回動すると、連動制御レバーバネ３１の付勢力によって連動制御レバー３０が連動ピン１８ｇを押圧する力は、サブミラーシート１８を格納位置へ向けて回動させる力として作用する。図７の状態からメインミラーシート１６がアップ位置方向へ回動すると、連動孔３０ａ内で連動ピン１８ｇが連動ピン摺接面３０ａ-１に接しながら外径側端面３０ａ-４に接触するまで移動して、サブミラーシート１８が格納位置方向へ大きく回動する。同時に、連動制御レバー３０が連動制御レバーバネ３１の付勢力によって時計方向に回動する。
【００３４】
メインミラーシート１６のアップ位置方向への回動が継続されると、サブミラーシート１８は、メインミラーシート１６に追随して上方へ移動しながら、連動ピン１８ｇを連動制御レバー３０の連動ピン摺接面３０ａ-１に押圧されてメインミラーシート１６に対して徐々に格納位置方向へ相対回動され、ミラー支持面１６ｃにミラー支持面１８ｂが接近して徐々にサブミラー１７がメインミラー１５の裏面側に収納されていく。やがて、メインミラーシート１６が図１０のアップ位置に達すると、サブミラーシート１８は、ミラー支持面１６ｃの背後にミラー支持面１８ｂを略平行に沿わせる格納位置まで達し、メインミラー１５の背後にサブミラー１７が格納されるミラーアップ状態となる。
【００３５】
以上のミラーアップ動作では、制振レバー３２は、メインミラーシート１６の伝達ギヤ１６ｊから従動ギヤ３２ａへ回転力が伝えられて、制振用アーム３２ｂを下方に向ける第１位置から、制振用アーム３２ｂを光軸方向後方に向ける第２位置まで反時計方向に回動する。この制振レバー３２の回動は、制振用アーム３２ｂを連動制御レバー３０のアーム当接部３０ｃから離間させる方向の回動である。
【００３６】
一方、ミラーアップ動作に伴って、連動制御レバー３０は、図１６にＵで示す軌跡で揺動を行う。図１６のＵは、連動制御レバー３０におけるアーム当接部３０ｃの移動軌跡を示している。前述のように、図５のミラーダウン状態から連動制御レバーバネ３１による付勢方向である時計方向へ少量回動し（Ｕ１）、続いて連動ピン１８ｇに押圧されて連動制御レバーバネ３１の付勢力に抗する反時計方向へ回動される（Ｕ２）。図６はこの反時計方向への回動Ｕ２の途中の状態である。メインミラーシート１６が図７の位置を過ぎると、連動制御レバー３０は、連動ピン１８ｇによって押し上げられる反時計方向回動Ｕ２から、連動ピン１８ｇを押し下げる時計方向回動Ｕ３に反転され、この連動制御レバー３０の時計方向回動Ｕ３によってサブミラーシート１８を格納位置へ回動させていく。図９はこの時計方向への回動Ｕ３途中の状態である。連動制御レバー３０は、図１０のミラーアップ状態で時計方向の回動端に達する。つまり、連動制御レバー３０は、図７に示す反転位置まで、アーム当接部３０ｃを制振レバー３２の制振用アーム３２ｂに接近させる方向へ回動し（Ｕ２）、続いてアーム当接部３０ｃを制振レバー３２の制振用アーム３２ｂから遠ざける方向に回動する（Ｕ３）。この間、制振レバー３２は、制振用アーム３２ｂをアーム当接部３０ｃから遠ざける第２位置の方向へ回動しているが、連動制御レバー３０も時計方向回動Ｕ２の最中は制振レバー３２に追随する方向へ変位しているため、図７に示す連動制御レバー３０の反転位置では、制振用アーム３２ｂの当接カム面３２ｃにアーム当接部３０ｃが近接した関係になる。
【００３７】
設計上、このミラーアップ時における図７の接近状態でもアーム当接部３０ｃと当接カム面３２ｃが当接しないように僅かなクリアランスが設けられている。具体的には、図７に示す状態で制振用アーム３２ｂとアーム当接部３０ｃが干渉しないようにするべく、伝達ギヤ１６ｊと従動ギヤ３２ａのギヤ比の設定によって制振レバー３２の回転量（回転角）を大きくさせている。但し、若干の動作誤差により、連動制御レバー３０の回動の反転のタイミングが遅れる可能性がある。図８はこのような状態を示しており、当接カム面３２ｃがアーム当接部３０ｃに当接している。当接カム面３２ｃは凸状の湾曲面であり、これに対するアーム当接部３０ｃの当接箇所（外径側端部）も半円状の円弧面であるため、当接カム面３２ｃとアーム当接部３０ｃは連動レバー支持軸３０ｘや制振レバー支持軸３２ｘの軸線と平行な線状の領域で当接する。そして、図８のように当接すると、その反力として当接カム面３２ｃからアーム当接部３０ｃに対して矢印Ｆ３方向の力が作用する。この矢印Ｆ３方向の力から連動制御レバー３０を時計方向に回動させる方向の分力が生ずる。すると、サブミラーシート１８の連動ピン１８ｇに対して矢印Ｆ４方向の力が作用する。この矢印Ｆ４方向の押圧力は、図８の各部材の位置関係では、サブミラーシート１８を格納位置へ回動させる方向に作用し、連動ピン１８ｇを内径側端面３０ａ-３から離れる方向へ連動ピン摺接面３０ａ-１に沿って移動させながら、サブミラーシート１８が格納位置方向へ回動することが可能になる。この動作を実現するべく、連動制御レバー３０の回転方向の接線Ｔと矢印Ｆ３のなす最大圧力角（図８参照）が６０度以下となるように当接カム面３２ｃとアーム当接部３０ｃの形状が設定されている。従って、図８のように連動制御レバー３０の回動反転のタイミングが若干遅れても、制振レバー３２の干渉によって連動制御レバー３０やサブミラーシート１８の動作がロックしてしまうことがなく、連動制御レバー３０の回動方向を反転させて、メインミラーシート１６のアップ位置への回動を継続させることができる。
【００３８】
図１１から図１５は、メインミラー１５を支持するメインミラーシート１６が図１０のアップ位置から図５のダウン位置へ向けて回動するときの動作を示している。メインミラーシート１６がダウン位置へ向けて回動すると、これに伴ってサブミラーシート１８を軸支するサブミラー支持軸１８ｘの位置が、メインミラー支持軸１６ｘを中心とする円弧状の軌跡に沿って下方へ変位する。この移動に応じて、サブミラーシート１８が、連動ピン１８ｇを連動孔３０ａ内において外径側端面３０ａ-４に接近する方向に変位させる。連動ピン１８ｇが外径側端面３０ａ-４の位置に達するまでは、サブミラーシート１８はメインミラーシート１６と一体的に回動する。連動ピン１８ｇが外径側端面３０ａ-４に当接する位置までメインミラーシート１６がダウン位置方向へ回動すると、連動制御レバー３０は、連動ピン１８ｇによって連動ピン摺接面３０ａ-１と外径側端面３０ａ-４を押圧されることで、連動制御レバーバネ３１の付勢力に抗して反時計方向に回動する。図１１に示すように、この連動制御レバー３０の反時計方向回動時には、連動ピン１８ｇが連動ピン摺接面３０ａ-１を押圧したとき連動制御レバーバネ３１の反力によって連動ピン１８ｇに対して矢印Ｆ５で示す力が作用する。この矢印Ｆ５方向の力はサブミラーシート１８を格納位置方向へ押圧させるものであるが、当該方向へのサブミラーシート１８の回動は連動ピン１８ｇが外径側端面３０ａ-４に当接することで規制され、サブミラーシート１８は格納位置方向へ戻らずに連動制御レバー３０を押圧する。
【００３９】
メインミラーシート１６がダウン位置方向への回動を続けて図１２の角度に達したとき、連動制御レバーバネ３１の付勢力によって連動ピン摺接面３０ａ-１から連動ピン１８ｇに加わる力の方向が矢印Ｆ６になる。この力の作用方向上にサブミラー支持軸１８ｘの中心（軸線）が位置しているため、サブミラーシート１８は格納位置方向へ押圧されなくなる。
【００４０】
メインミラーシート１６が図１２の位置を超えてダウン位置方向へ回動すると、連動制御レバー３０は反時計方向への回動端に達し、連動制御レバーバネ３１の付勢力によって連動制御レバー３０が連動ピン１８ｇを押圧する力は、サブミラーシート１８を突出位置へ向けて回動させる力として作用する。すると、図１４に示すように連動孔３０ａ内で連動ピン１８ｇが連動ピン摺接面３０ａ-１に沿って内径側端面３０ａ-３側に移動して、サブミラーシート１８が突出位置方向へ大きく回動する。同時に、連動制御レバー３０が連動制御レバーバネ３１の付勢力によって時計方向に回動する。
【００４１】
図１５は連動制御レバー３０が時計方向への回動端に達した状態を示しており、この段階でサブミラーシート１８はストッパ部１８ａを位置決めピン２６に当接させている。この状態からメインミラーシート１６が若干量反時計方向に回動すると、ストッパ部１６ａが位置決めピン２１に当接して、図５に示すミラーダウン状態となる。図１５の状態から図５のミラーダウン状態までの間は、連動孔３０ａ内での連動ピン１８ｇの位置を内径側端面３０ａ-３から離間させる方向に変位させつつ、連動制御レバー３０が反時計方向に若干量回転される。このときストッパ部１８ａは、位置決めピン２６に接触しながら移動する。
【００４２】
以上のミラーダウン動作では、制振レバー３２は、メインミラーシート１６の伝達ギヤ１６ｊから従動ギヤ３２ａへ回転力が伝えられて、制振用アーム３２ｂを光軸方向後方に向ける第２位置から、制振用アーム３２ｂを下方に向ける第１位置へ向けて時計方向に回動する。この制振レバー３２の回動は、制振用アーム３２ｂを連動制御レバー３０のアーム当接部３０ｃに接近させる方向の回動である。
【００４３】
一方、ミラーダウン動作に伴って、連動制御レバー３０は、図１６にＤで示す軌跡で揺動を行う。図１６のＤは、連動制御レバー３０におけるアーム当接部３０ｃの移動軌跡を示している。前述のように、図１０のミラーアップ状態から図１２の位置を過ぎるまで連動ピン１８ｇに押圧されて連動制御レバーバネ３１の付勢力に抗する反時計方向へ回動される（Ｄ１）。図１１はこの反時計方向への回動Ｄ１の途中の状態である。メインミラーシート１６が図１２の位置を過ぎると、連動制御レバー３０は、連動ピン１８ｇによって押し上げられる反時計方向回動Ｄ１から、連動ピン１８ｇを押し下げる時計方向回動Ｄ２に反転され、この連動制御レバー３０の時計方向回動Ｄ２によってサブミラーシート１８を突出位置へ回動させていく。連動制御レバー３０は、図１５の状態で時計方向の回動端に達し、図５のミラーダウン状態になるまで反時計方向に若干量反転回動される（Ｄ３）。つまり、連動制御レバー３０は、図１２に示す反転位置まで、アーム当接部３０ｃを制振レバー３２の制振用アーム３２ｂに接近させる方向へ回動し（Ｄ１）、続いてアーム当接部３０ｃを制振レバー３２の制振用アーム３２ｂから遠ざける方向に回動する（Ｄ２）。この間、制振レバー３２は、制振用アーム３２ｂをアーム当接部３０ｃに接近させる第１位置の方向へ回動しており、図１２に示す連動制御レバー３０の反転位置では、制振用アーム３２ｂの当接カム面３２ｃにアーム当接部３０ｃが近接した関係になる。
【００４４】
ミラーアップ動作時と同様に、設計上、このミラーダウン時における図１２の接近状態でもアーム当接部３０ｃと当接カム面３２ｃが当接しないように僅かなクリアランスが設けられている。但し、若干の動作誤差により、連動制御レバー３０の回動の反転のタイミングが遅れる可能性がある。図１３はこのような状態を示しており、当接カム面３２ｃがアーム当接部３０ｃに当接している。アーム当接部３０ｃと当接カム面３２ｃが当接すると、その反力として当接カム面３２ｃからアーム当接部３０ｃに対して矢印Ｆ７方向の力が作用する。この矢印Ｆ７方向の力から連動制御レバー３０を時計方向に回動させる方向の分力が生ずる。すると、サブミラーシート１８の連動ピン１８ｇに対して、連動制御レバー３０の連動ピン摺接面３０ａ-１から矢印Ｆ８方向の力が作用する。この矢印Ｆ８方向の押圧力は、図１３の各部材の位置関係では、サブミラーシート１８を突出位置へ回動させる方向に作用し、連動ピン１８ｇを外径側端面３０ａ-４から離れる方向へ連動ピン摺接面３０ａ-１に沿って移動させながら、サブミラーシート１８が突出位置方向へ回動することが可能になる。この動作を実現するべく、連動制御レバー３０の回転方向の接線Ｔと矢印Ｆ７のなす最大圧力角（図１３参照）が６０度以下となるように当接カム面３２ｃとアーム当接部３０ｃの形状が設定されている。従って、図１３のように連動制御レバー３０の回動反転のタイミングが若干遅れても、制振レバー３２の干渉によって連動制御レバー３０やサブミラーシート１８の動作がロックしてしまうことがなく、連動制御レバー３０の回動方向を反転させて、メインミラーシート１６のダウン位置への回動を継続させることができる。特に、ミラーダウン動作時における制振レバー３２の回動方向は矢印Ｆ７方向へ連動制御レバー３０を押圧する方向であるため、連動制御レバー３０の回動反転をアシストするように制振レバー３２が機能する。
【００４５】
ミラーダウン動作の終盤で、連動制御レバー３０は図１５に示す時計方向回動端から図５に示す位置まで回動を行う（図１６のＤ３）。また、制振レバー３２は第１位置へ向けて反時計方向に回動している。そのため、連動制御レバー３０のアーム当接部３０ｃと、制振レバー３２に設けた制振用アーム３２ｂの当接カム面３２ｃの間隔が小さくなる。図１５の状態でサブミラーシート１８はストッパ部１８ａを位置決めピン２６に当接させる突出位置に達しているが、メインミラーシート１６が最終的に図５のダウン位置に達するまでの間に、サブミラーシート１８が衝撃で格納位置方向へ跳ね上がる挙動、すなわちバウンドを生じる可能性がある。このようなサブミラーシート１８のバウンドを制振レバー３２によって抑えることができる。具体的には、図１５の状態から図５の状態になるときにサブミラーシート１８が格納位置方向へ回動しようとすると、連動ピン１８ｇによって連動制御レバー３０を反時計方向に押圧する。ここで、連動制御レバー３０のアーム当接部３０ｃには制振レバー３２の当接カム面３２ｃが近接状態で対向しており、当該方向への連動制御レバー３０の可動域は、アーム当接部３０ｃが当接カム面３２ｃに当接することで制限される。より詳しくは、制振レバー３２を回動させるメインミラーシート１６はサブミラーシート１８に対して慣性モーメントが十分大きいこと、メインミラーシート１６と制振レバー３２の結合（噛合）箇所である伝達ギヤ１６ｊと従動ギヤ３２ａはメインミラー支持軸１６ｘの近傍である（メインミラー支持軸１６ｘを中心とする半径方向の距離が短い）ことによって、アーム当接部３０ｃから当接カム面３２ｃに負荷が加わっても、制振レバー３２がメインミラーシート１６を回転させるほどのモーメントが起きない。よって、当接カム面３２ｃがアーム当接部３０ｃに当接した状態で連動制御レバー３０の反時計方向の回動が規制され、連動制御レバー３０の可動域を確実に制限することができる。連動制御レバー３０の反時計方向の回動が規制されれば、サブミラーシート１８の格納位置方向への回動も規制されるため、サブミラーシート１８のバウンドが抑制される。当接カム面３２ｃとアーム当接部３０ｃの間隔は、図１５の状態から図５のミラーダウン状態に近付くにつれて徐々に小さくなるため、連動制御レバー３０の可動域が徐々に制限されていき、図５のミラーダウン状態になるときにはサブミラーシート１８に対するバウンド抑制効果が最大になる。なお、前述の通り、ミラーダウン位置においてサブミラーシート１８がバウンドしていない状態では、当接カム面３２ｃとアーム当接部３０ｃが当接しないようにクリアランスが確保されており、メインミラーシート１６やサブミラーシート１８の角度調整に伴う連動制御レバー３０と制振レバー３２の若干の相対位置変化が許容される。
【００４６】
以上の実施形態では、制振レバー３２によってミラーダウン時のサブミラー１７（サブミラーシート１８）のバウンド抑制を行うが、若干の構成追加で、ミラーアップ時のサブミラー１７のバウンド抑制を行わせることも可能である。この第２の実施形態を図１７以降を参照して説明する。第２実施形態の基本的な構成要素は先の実施形態と共通している。相違するのは、連動制御レバー３０と制振レバー３２の形状である。連動制御レバー３０は、アーム当接部３０ｃのうち連動レバー支持軸３０ｘに近い内径側端部付近に、側方へ突出する第２アーム当接部（第２の当接可能部）３０ｄを有している。第２アーム当接部３０ｄの先端は、アーム当接部３０ｃの両端と同様に半円状の円弧面形状になっている。制振レバー３２は、制振用アーム３２ｂと概ね対称をなす形状の第２制振用アーム（第２の当接可能部）３２ｄを有しており、第２制振用アーム３２ｄの外周には凸状の湾曲面である当接カム面３２ｅが形成されている。
【００４７】
図２１はミラーダウン状態を示している。このとき制振レバー３２は第１位置にあり、制振レバー３２の制振用アーム３２ｂに形成した当接カム面３２ｃが連動制御レバー３０のアーム当接部３０ｃに近接してサブミラーシート１８のバウンドを抑える一方で、第２制振用アーム３２ｄの当接カム面３２ｅは連動制御レバー３０の第２アーム当接部３０ｄから離間した位置にある。
【００４８】
図２２はミラーアップ動作の途中を示しており、具体的には連動制御レバー３０が図１６における反時計方向回動Ｕ２から時計方向回動Ｕ３に反転する回動端に達した状態である。ミラーダウン状態に比べて第２制振用アーム３２ｄの当接カム面３２ｅと第２アーム当接部３０ｄが接近しているが、互いの間にはまだ所定以上の間隔があり、直ちに当接する関係にはない。
【００４９】
図２２の状態からメインミラーシート１６がアップ位置方向に回動すると、連動制御レバー３０は図１６の時計方向回動Ｕ３を行う。この連動制御レバー３０の回動はアーム当接部３０ｃを制振レバー３２から離間させる方向の回動であるが、第２アーム当接部３０ｄはアーム当接部３０ｃと異なる方向へ突出されているため、アーム当接部３０ｃとは異なる軌跡で変位する。一方、制振レバー３２は第２位置へ向けて回動し、この回動によって第２制振用アーム３２ｄの当接カム面３２ｅを徐々に第２アーム当接部３０ｄに接近させる。そして図２３に示すミラーアップ状態では、制振レバー３２が第２位置まで達して、第２制振用アーム３２ｄの当接カム面３２ｅが連動制御レバー３０の第２アーム当接部３０ｄに近接している。従って、図２３の状態でサブミラーシート１８が突出位置方向へ変位しようとしても、当接カム面３２ｅに対して第２アーム当接部３０ｄが当接することで連動制御レバー３０の反時計方向回動が規制され、サブミラーシート１８を格納位置で安定して止めることができる。なお、図２３のミラーアップ状態において、当接カム面３２ｅと第２アーム当接部３０ｄの間には所定以上のクリアランスが設けられており、サブミラーシート１８のバウンド抑制時を除くと当接カム面３２ｅと第２アーム当接部３０ｄが当接しないようになっている。なお、ミラーアップ側ではメインミラー１５やサブミラー１７の角度調整が行われないため、図２３に示すミラーアップ状態で、角度調整に対応させるためのクリアランスを当接カム面３２ｅと第２アーム当接部３０ｄの間に設けない構成とすることも可能である。当接カム面３２ｅと第２アーム当接部３０ｄの間のクリアランスが小さいほどサブミラー１７のバウンド抑制効果が高くなる。
【００５０】
図２４はミラーダウン動作の途中を示しており、具体的には連動制御レバー３０が図１６における反時計方向回動Ｄ１から時計方向回動Ｄ２に反転する回動端に達した状態である。第２制振用アーム３２ｄの当接カム面３２ｅと第２アーム当接部３０ｄがミラーアップ状態に比べて離間しており、当接カム面３２ｅと第２アーム当接部３０ｄが当接して連動制御レバー３０の回動を妨げることはない。そして、メインミラーシート１６がさらに回動して図２１のミラーダウン状態に達すると、第２制振用アーム３２ｄの当接カム面３２ｅと第２アーム当接部３０ｄはさらに離間する。
【００５１】
以上のように、メインミラー１５をダウン位置やアップ位置に回動させたときに、メインミラーシート１６に連動して回動する制振レバー３２を用いてサブミラーシート１８のバウンドを抑制させたことにより、サブミラー１７においてミラーショック軽減や連射速度向上の効果を得ることが可能となった。バウンド抑制の構造は、サブミラーシート１８の回動を制御する連動制御レバー３０上のアーム当接部３０ｃや第２アーム当接部３０ｄに対して制振レバー３２の当接カム面３２ｃを当接させるものであるため、複雑な構造を要しない。また、制振部材である制振レバー３２はメインミラー１５の回動に伴って回動することでサブミラー１７に対するバウンド抑制位置に移動するので、ミラーボックス１４のような固定部材に形成したストッパに対してサブミラーシート１８を係合させてバウンドを抑えるタイプの制振機構に比べて、動作タイミングのずれなどに対する許容量が大きく、動作不良となるおそれが少ない。よって、簡単な構造で確実にサブミラーのバウンド抑制を行うことができる。
【００５２】
以上、図示実施形態に基づき説明したが、本発明はこれに限定されるものではない。例えば、図示実施形態では、制振レバー３２が連動制御レバー３０に当接することでサブミラーシート１８のバウンドを抑える構造であるが、制振レバー３２に相当する制振部材を、サブミラーシート１８に直接的に当接させてバウンドを抑える構造にすることも可能である。一例として、図示実施形態におけるサブミラーシート１８の連動ピン１８ｇを延長させたり、連動ピン１８ｇとは別の当接可能部をサブミラーシート１８に設けたりして、この連動ピン１８ｇまたは別の当接可能部に対して当接可能な（同一の回動平面内に位置する）形状の制振レバーを用いるという構成でも成立する。
【符号の説明】
【００５３】
１０  一眼レフカメラ
１１  カメラボディ
１２  レンズ鏡筒
１３  レンズマウント
１４  ミラーボックス
１５  メインミラー
１６  メインミラーシート（メインミラー保持枠）
１６ｊ  伝達ギヤ
１６ｘ  メインミラー支持軸
１７  サブミラー
１８  サブミラーシート（サブミラー保持枠）
１８ｇ  連動ピン（突出部）
１８ｘ  サブミラー支持軸
２０  イメージセンサ（撮像用受光媒体）
２１  ２６  位置決めピン
２３  ファインダ光学系
２４  測光ユニット
２５  測距ユニット
３０  連動制御レバー（連動制御回動部材）
３０ａ  連動孔（長孔）
３０ｃ  アーム当接部（当接可能部）
３０ｄ  第２アーム当接部（第２の当接可能部）
３０ｘ  連動レバー支持軸
３１  連動制御レバーバネ
３２  制振レバー（制振部材）
３２ａ  従動ギヤ
３２ｂ  制振用アーム（当接可能部）
３２ｃ  当接カム面
３２ｄ  第２制振用アーム（第２の当接可能部）
３２ｅ  当接カム面
３２ｘ  制振レバー支持軸
【図１】
2015014725.tif 000003
【図２】
2015014725.tif 000004
【図３】
2015014725.tif 000005
【図４】
2015014725.tif 000006
【図５】
2015014725.tif 000007
【図６】
2015014725.tif 000008
【図７】
2015014725.tif 000009
【図８】
2015014725.tif 000010
【図９】
2015014725.tif 000011
【図１０】
2015014725.tif 000012
【図１１】
2015014725.tif 000013
【図１２】
2015014725.tif 000014
【図１３】
2015014725.tif 000015
【図１４】
2015014725.tif 000016
【図１５】
2015014725.tif 000017
【図１６】
2015014725.tif 000018
【図１７】
2015014725.tif 000019
【図１８】
2015014725.tif 000020
【図１９】
2015014725.tif 000021
【図２０】
2015014725.tif 000022
【図２１】
2015014725.tif 000023
【図２２】
2015014725.tif 000024
【図２３】
2015014725.tif 000025
【図２４】
2015014725.tif 000026